(57)【特許請求の範囲】
【請求項１】
記録液を収容した収容手段と、
この収容手段に収容された記録液の液面に沿って第１の方向に延設され、この第１の方向に沿って上記液面を繋げて並んだ複数の吐出位置を規定したスリットと、
上記収容手段内に設けられ、上記複数の吐出位置に向けて記録液中を伝播される音波を選択的に発生させる音波発生手段と、
この音波発生手段で発生された音波を上記各吐出位置へ集束させる音波集束手段と、
上記音波発生手段で選択的に発生される音波を上記第１の方向に走査してこの第１の方向に並んだ上記複数の吐出位置へ順次集束させる走査手段と、
この走査手段による走査によって音波が集束される任意の吐出位置において、当該吐出位置より走査方向上流側に隣接した吐出位置の液面の状態に応じて、記録液の吐出状態を安定させるように当該吐出位置に集束させる音波を発生させるためのバースト波のエネルギーを設定し、このバースト波を上記音波発生手段に与えて当該吐出位置から記録液を選択的に吐出させる吐出手段と、を有し、
上記吐出手段は、当該吐出位置から記録液を吐出させる際に、当該吐出位置より走査方向上流側に隣接した吐出位置の液面にメニスカスが形成されていない場合に比較的波数の多い第１のバースト波を与えて当該吐出位置から記録液を吐出させ、上記隣接した吐出位置の液面に記録液が吐出しない程度のメニスカスが形成されている場合に上記第１のバースト波より波数の少ない第２のバースト波を与えて当該吐出位置から記録液を吐出させ、上記隣接した吐出位置の液面から記録液が吐出されている場合に上記第２のバースト波よりさらに波数の少ない第３のバースト波を与えて当該吐出位置から記録液を吐出させることを特徴とする記録ヘッド。
【請求項２】
上記各吐出位置から吐出される記録液の吐出タイミングを上記走査手段による走査タイミングに揃えるように、上記吐出手段にて設定される上記第１乃至第３のバースト波の後端を揃えることを特徴とする請求項１に記載の記録ヘッド。
【発明の詳細な説明】
【０００１】
【発明の属する技術分野】
この発明は、画像信号に応じたインク滴を被記録媒体に向けて飛翔させて被記録媒体上に画像を形成する記録ヘッドに係り、特に、圧電素子から放射される超音波の圧力によってインク滴を吐出させて被記録媒体上に画像を形成する記録ヘッドに関する。
【０００２】
【従来の技術】
従来、画像信号に応じたインク滴を被記録媒体に向けて吐出させて被記録媒体上にインク滴によるドットを形成し、被記録媒体上に所望の画像を形成する記録ヘッドとして、超音波をインク液面に集束して超音波の圧力を利用してインク滴を吐出させるものが知られている。
【０００３】
この種の超音波を利用した記録ヘッドは、一般に、インクを収容したインクタンクの底部に画像信号に応じた超音波を発生させるための複数の圧電素子を並設し、インクの液面に沿って圧電素子の並び方向に延びたスリットを形成して成る。そして、このスリットの中央に各圧電素子から発生される超音波を集束して、超音波の圧力によってインク滴を吐出させるようにしている。つまり、この記録ヘッドでは、インク滴が吐出される複数の吐出ポイントがスリットの中央に沿って並んでおり、各吐出ポイントの液面が繋がっている。
【０００４】
【発明が解決しようとする課題】
従って、上述したような従来の記録ヘッドでは、隣接した２つの吐出ポイントのうちいずれか一方のみからインク滴が吐出される場合、インク滴を吐出した際のインク液面の振動が隣接した吐出ポイントに伝達されてしまう。このため、インク滴の吐出方向が不安定となったり、吐出されるインク滴のドット形状が変形されたりして、インク滴を安定して吐出できない問題が生じる。また、最悪の場合には、インク滴が吐出できなくなる場合もある。
この発明は、以上の点に鑑みなされたもので、その目的は、インク滴を安定して吐出でき、良質な画像を形成できる記録ヘッドを提供することにある。
【０００５】
【課題を解決するための手段】
上記目的を達成するため、この発明の記録ヘッドは、記録液を収容した収容手段と、この収容手段に収容された記録液の液面に沿って第１の方向に延設され、この第１の方向に沿って上記液面を繋げて並んだ複数の吐出位置を規定したスリットと、上記収容手段内に設けられ、上記複数の吐出位置に向けて記録液中を伝播される音波を選択的に発生させる音波発生手段と、この音波発生手段で発生された音波を上記各吐出位置へ集束させる音波集束手段と、上記音波発生手段で選択的に発生される音波を上記第１の方向に走査してこの第１の方向に並んだ上記複数の吐出位置へ順次集束させる走査手段と、この走査手段による走査によって音波が集束される任意の吐出位置において、当該吐出位置より走査方向上流側に隣接した吐出位置の液面の状態に応じて、記録液の吐出状態を安定させるように当該吐出位置に集束させる音波を発生させるためのバースト波のエネルギーを設定し、このバースト波を上記音波発生手段に与えて当該吐出位置から記録液を選択的に吐出させる吐出手段と、を有し、上記吐出手段は、当該吐出位置から記録液を吐出させる際に、当該吐出位置より走査方向上流側に隣接した吐出位置の液面にメニスカスが形成されていない場合に比較的波数の多い第１のバースト波を与えて当該吐出位置から記録液を吐出させ、上記隣接した吐出位置の液面に記録液が吐出しない程度のメニスカスが形成されている場合に上記第１のバースト波より波数の少ない第２のバースト波を与えて当該吐出位置から記録液を吐出させ、上記隣接した吐出位置の液面から記録液が吐出されている場合に上記第２のバースト波よりさらに波数の少ない第３のバースト波を与えて当該吐出位置から記録液を吐出させる。
【００１４】
【発明の実施の形態】
以下、図面を参照しながらこの発明の実施の形態に係る記録ヘッドについて詳細に説明する。図１（ａ）には記録ヘッド１の部部的な平面図を示してあり、図１（ｂ）には記録ヘッド１の断面図を示してある。
【００１５】
記録ヘッド１は、略水平に延びた上面２ａを有する矩形板状の基材２を有している。基材２の上面２ａ上には、図２に示した複数の引き出し電極７が、記録ヘッド１の副走査方向（図中左右方向）に延びてアレイ状に所定ピッチで形成されている。そして、これらの引き出し電極７を介して、超音波を発生するための圧電素子４（図１参照）が基材２の上面２ａ上に設けられている。
【００１６】
圧電素子４は、記録ヘッド１の副走査方向に延びてアレイ状に配列された複数の個別電極３、比誘電率が２００のチタン酸鉛系圧電セラミックからなる厚さ約５０μｍの圧電体６、および共通電極５を基材２から離れる方向に順次積層して形成されている。圧電素子４の各個別電極３は、基材２の上面２ａに形成された引き出し電極７に対応して設けられ、例えば副走査方向に５．０ｍｍの長さを有するとともに副走査方向と直交する主走査方向（紙面方向）に６０μｍの幅を有し、主走査方向に２５μｍのピッチで形成されている。また、共通電極５は、例えば、副走査方向に２．０ｍｍの長さを有し、全ての個別電極３をカバーするように設けられている。
【００１７】
そして、圧電素子４の各個別電極３と基材２上の各引き出し電極７とが接着剤を介して重ねられて位置合せされ、両者が圧着されて電気的に接続される。各引き出し電極７は、それぞれボンディングワイヤ８を介して、圧電素子４を駆動するための駆動ＩＣ９に接続されている。また、共通電極５は、駆動ＩＣ９の図示しないコモン端子に接続されている。さらに、各引き出し電極７を接続した駆動ＩＣ９には、図示しない信号源から入力される画像信号に基づいて各個別電極３と共通電極５との間に与えるバースト電圧の波数を演算し、画像信号に基づくバースト信号（以下、バースト波と称する）を出力する信号処理部１０が接続されている。
【００１８】
圧電素子４の上には、圧電素子４から発生された超音波を後述するスリットの中央に集束させるための略矩形板状のレンズ部材１３が積層されている。レンズ部材１３の上面には、フレネル輪帯理論に基づいて主走査方向に延設された複数本の溝１３ａが形成されている。これらの複数本のレンズ溝１３ａは、レンズ部材１３の副走査方向中心線に対して対称、即ち図１で左右対称に形成されており、各レンズ溝１３ａの深さは、インクを伝播する超音波の波長の（２ｎ＋１）／４倍（ｎは０以上の整数）に設定されている。
【００１９】
また、基材２の上面２ａ上には、上記圧電素子４およびレンズ部材１３を包囲するように、インクを収容するためのインク室部材１１が設けられている。上記レンズ部材１３とともにインク室部材１１には、圧電体６の音響インピーダンスとインクの音響インピーダンスとの積の平方根に近い音響インピーダンスを有する材料として、例えばアルミナ粉末を分散させたエポキシ樹脂を用いた。このインク室部材１１は、基材２から鉛直上方に立設された４つの略矩形板状の側壁を有し、図示しない被記録媒体に対向する上面側は開放されている。
【００２０】
そして、インク室部材１１の開放された上面を閉塞する位置には、略矩形板状のスリット部材１４が設けられている。スリット部材１４は、インク室部材１１と共同してインクを収容するインク収容部１６を形成する。スリット部材１４の副走査方向中央には、主走査方向に沿って記録ヘッド１の中央を延びたスリット１５が形成されている。
【００２１】
また、インク収容部１６には、図示しない供給管を介して図示しないインクタンクが接続されている。供給管は、図示しない供給口を介してインク収容部１６に連通され、供給管の途中に設けられた図示しないポンプによってインクタンクからインクが供給される。そして、インク収容部１６内にインクが充填されると、図１（ｂ）に示すように、スリット１５の部位にインクの液面１６ａが形成される。スリット１５に形成されるインクの液面１６ａは、インク収容部１６方向に向けて下方に窪んで形成される。
【００２２】
この状態で、画像信号に基づくバースト波が信号処理部１０から出力されると、駆動ＩＣ９を介して複数の個別電極３に対して同一のバースト電圧が印加されて圧電素子４から超音波が発生される。圧電素子４から発生された超音波は、レンズ溝１３ａの作用によってスリット１５中央のインク液面に集束され、集束された超音波の圧力によってインク滴がスリット１５の中央から吐出される。
【００２３】
このとき、スリット１５から上方に所定距離離間した位置で副走査方向に被記録媒体が搬送され、スリット１５から吐出されたインク滴が被記録媒体上に着弾されてインク滴によるドットが形成される。
【００２４】
インクを安定して吐出し、良質な画像を形成するためには、レンズ部材１３にて超音波が集束される音波集束位置がスリット１５の高さと一致し、且つスリット１５の中央に正確に位置することが重要となる。よって、レンズ部材１３による超音波の集束位置をスリット１５の高さ位置と正確に一致させるように、レンズ溝１３ａの底からインク室部材１１の側壁の上端までの高さを高精度に設定するようにした。本実施の形態では、レンズ溝１３ａの底から側壁の上端までの高さを２．５ｍｍに設定した。
【００２５】
次に、上記のように構成された記録ヘッド１の駆動原理について説明する。図３には、信号処理部１０から出力されるバースト波の例を示してある。また、図４には、記録ヘッド１の駆動原理を説明するための動作説明図を示してある。
【００２６】
バースト波は、圧電体６の厚さなどによって決定される共振周波数に近い比較的高い周波数を有する正弦波で形成され、信号処理部１０によって演算される波数、即ちこの波数によって決定されるバースト幅を有するものである。本実施の形態では、５０ＭＨｚの周波数を有し、発生される超音波の波数が１０００となる１０μｓのバースト幅が基準とされている。
【００２７】
また、本実施の形態では、隣接した８つの個別電極３を１グループとして、これら８つの個別電極３に対して同じ波数のバースト波を同時に印加して１つのインク滴を吐出させるようにした。この際、波数が同じバースト波のうち位相が互いに１８０°ずれた０相のバースト波とπ相のバースト波を用意し、８つの電極の並び方向に、０π００００π０の順に位相の異なるバースト波を与えるようにした。これにより、電極の並び方向中央に向けて超音波を集束することができ、８つの電極の中央位置から１つのインク滴を吐出させることができる。
【００２８】
このように、８つの個別電極３を１グループとしてインク滴を吐出させる場合、同時に吐出できるインク滴の吐出間隔は電極８つ分に相当する。このため、主走査方向に沿った１ライン分のインク滴を吐出させるためには、図４に示すように、同一のバースト波を与える個別電極３のグループを電極１つ分ずつずらしながら主走査方向にスキャンし、各グループの電極にそれぞれ８つのバースト波を与える必要がある。或いは、上記のように主走査方向へのスキャンをしないで、被記録媒体の搬送方向に対してスリット１５を斜めに配置しても良い。
【００２９】
いずれにしても、本実施の形態では、１グループの個別電極３に位相の異なるバースト波を与えることにより超音波を記録ヘッド１の主走査方向に集束させ、レンズ溝１３ａの作用によって超音波を記録ヘッド１の副走査方向に集束させている。
【００３０】
次に、上述した駆動原理に基づいて記録ヘッド１を駆動させたとき、インク滴が吐出される各吐出ポイント近傍にけるインクの挙動について説明する。図５には、記録ヘッド１を副走査方向に沿って切断した断面図を示してあり、図６には、記録ヘッド１をスリット１５の略中央位置で主走査方向に沿って切断した断面図を示してある。尚、各図とも、インク滴が吐出されるときのインクの経時変化を示してある。
【００３１】
図５（ａ）および図６（ａ）に示すように、バースト波が与えられていない被記録時には、インク中に超音波が伝播されていないため、スリット１５の部位におけるインク液面１６ａはインク収容部に向けて下方に窪んだメニスカスを形成している。
【００３２】
この状態で、所定の波数を有するバースト波が１グループの個別電極に同時に与えられると、各個別電極の部位から超音波が発生されてインク中に励振される。このとき、レンズ溝１３ａの作用によって、超音波がスリット１５中央の吐出ポイントに向けて集束される。レンズ溝１３ａによって集束された超音波は、吐出ポイントのインク液面１６ａで反射され、圧電素子４に向けて折返される。さらに、インク液面１６ａで反射されて折返された超音波は、圧電素子４に到達されて圧電素子４によって反射される。このような一連の動作によって、インク中に超音波の定在波が形成される。
【００３３】
そして、レンズによって集束された超音波がインク液面１６ａで反射されるとき、超音波の圧力によってインク液面１６ａが図５（ｂ）および図６（ｂ）に示すように盛り上げられ、吐出ポイントにインクメニスカス２１が形成される。このように形成されたインクメニスカス２１は、図５（ｃ）および図６（ｃ）に示すように、バースト波の幅に応じて経時的に成長を続け、最終的に、図５（ｄ）および図６（ｄ）に示すように、インクメニスカス２１の先端からインク滴２２が分離されて図示しない被記録媒体に向けて吐出される。
【００３４】
インク滴２２が吐出された直後のインク液面は、図５（ｄ）に破線で示すように、スリット１５の縁１５ａを節として振動される。このような液面の振動は、インク中に形成された超音波による定在波が無くなるまで続けられる。定在波は、インクの粘度などに起因した減衰を受けて経時的に消滅され、インク液面は、最終的に図５（ａ）および図６（ａ）に示す状態に戻る。
【００３５】
上述したインク滴の吐出動作において、各吐出ポイントに形成されるインクメニスカス２１の裾は、スリット１５の縁１５ａによって副走査方向の広がりを規定されるが、スリット１５に沿った主走査方向では隣接したメニスカス同士が繋がっている。このため、インク滴を吐出する際に生じる液面の振動が隣接する吐出ポイントに伝達されてしまう。
【００３６】
図７には、インク滴が同時に吐出される主走査方向に並んだ３つのグループを例示してあり、図中左側のグループＡが非記録状態、中央のグループＢおよび図中右側のグループＣが記録状態であるときの従来のインクの挙動を経時的に示してある。つまり、従来の制御では、グループＢおよびグループＣにおいては上述したようにインクメニスカスが形成されてインク滴が吐出されるが、グループＡにおいてはインクメニスカスが形成されない。
【００３７】
このため、グループＡに隣接したグループＢのインクメニスカス２１の裾がメニスカスの形成されないグループＡ方向に延び、グループＢのインクメニスカス２１の頂点がグループＡ方向にずれてしまう。これにより、グループＢのインク滴の吐出方向がグループＡ方向にずれ、インク滴２２が斜めに吐出されてしまう（図７ｂ参照）。
【００３８】
また、グループＢにおいてインク滴２２が吐出された後、液面の振動による表面波２３が形成され、この表面波２３がメニスカスの形成されていないグループＡ方向に伝播される。このような表面波２３は、隣接した吐出ポイントにおいてインク滴が同時に吐出されるときは互いに打ち消されるが、隣接した一方の吐出ポイントのみインク滴が吐出される場合にはインク滴の吐出されない吐出ポイントに向けて移動される。
【００３９】
上記のように、表面波２３が伝播されると、グループＡの吐出ポイントにおいて、インク液面が不安定となり、インク滴の吐出方向が不安定となったり、インク滴の形状が変形されたりし、最悪の場合にはインク滴の吐出が不可能になる。
【００４０】
このため、本発明では、インク滴を吐出しないグループにおいてもインク滴を吐出しない程度のインクメニスカスを形成するようにした。つまり、インク滴を吐出させる印字状態において十分な波数を有するバースト波を与え、インク滴を吐出させない非印字状態において通常の１／３程度の波数のバースト波を与えるようにした。尚、各グループの電極に与えるバースト波の波数は、画像信号に基づいて、信号処理部１０にて演算される。
【００４１】
図８には、上記グループＡ〜Ｃの各個別電極に与えられる本発明のバースト波の例を示してある。グループＡにおけるインク滴の吐出パターンは、非印字→印字→非印字となっており、グループＢにおけるインク滴の吐出パターンは、印字→印字→印字となっており、グループＣにおけるインク滴の吐出パターンは、印字→印字→非印字となっている。これによると、非印字状態のグループの各電極にも波数の少ないバースト波が与えられている。
【００４２】
以上のように、インク滴を吐出しない非印字状態のグループにも、インク滴を吐出することのない程度の波数を有するバースト波を与えることにより、インク滴の吐出方向を安定させることができ、不所望な表面波の伝播を防止でき、良質な画像を形成できる。
【００４３】
図９には、非印字状態のグループＡの各電極に波数を少なくしたインク滴を吐出させることのないバースト波を与え、グループＢおよびグループＣの各電極に通常の波数を有するバースト波を与えたときの各グループにおけるインクの挙動を経時的に示してある。
【００４４】
これによると、グループＡの吐出ポイントにもインク滴を吐出することのない程度のインクメニスカス２１’が形成されるため、隣接したグループＢのメニスカスの裾がグループＡ方向に広がることが抑制され、グループＢのインクメニスカス２１の頂点がずれることがなく、インク滴の吐出方向が安定する。また、グループＡにおいてメニスカス２１’が形成されるため、グループＢでインク滴が吐出された直後に生じる表面波がグループＡ方向に伝播されることが抑制され、インク液面が乱されることがなく、インク滴の安定した吐出が実現できる。
【００４５】
次に、上述した各グループにおけるインク滴の吐出ポイントを主走査方向に走査する場合のバースト波の波数制御について説明する。
本実施の形態では、８つの個別電極３を１つのグループとして１ドットのインク滴を吐出させているため、主走査方向１ライン分のインク滴を吐出させるには、バースト波を与えるグループを主走査方向に個別電極１つ分づつ８回走査しながら、図３に示すような８つのバースト波を順に与える必要がある。
【００４６】
このように、インク滴の吐出ポイントを主走査方向に走査する場合、任意の吐出ポイントにおけるインク液面の状態は、この吐出ポイントより主走査方向に少なくとも１つ手前側の吐出ポイントにおけるインク滴の吐出状態（印字／非印字）に応じて変化される。
【００４７】
例えば、図１０（ａ）に示すように、当該吐出ポイント直前の吐出ポイントにおいてインクメニスカスが形成されていない場合には、当該吐出ポイントの液面は直線状となっており、この状態からインク滴を吐出させるためには、比較的バースト幅の大きい（波数の多い）バースト波を与える必要がある。つまり、各グループの電極に与えられるバースト波は、まず、対応する吐出ポイントにおけるインクメニスカスの形成に用いられるため、メニスカスの無い状態からインク滴を吐出させるためには比較的長い時間バースト波を与えなければならない。
【００４８】
これに対し、図１０（ｂ）に示すように、直前の吐出ポイントにてインク滴が吐出することのない波数のバースト波が与えられてインク滴が吐出しない程度のインクメニスカス２１’が形成されている場合、隣接した当該吐出ポイントの液面は僅かに盛り上がっており、当該吐出ポイントからインク滴を吐出させるためのバースト波の波数を少なくすることができる。
【００４９】
また、図１０（ｃ）に示すように、直前の吐出ポイントにてインク滴が吐出された場合には表面波２３が形成されており、隣接した当該吐出ポイントの液面は十分に盛り上がっており、当該吐出ポイントからインク滴を吐出させるためのバースト波の波数をさらに少なくすることができる。
【００５０】
つまり、主走査方向直前の吐出ポイントにおいてなんらかのメニスカスが形成されている場合には、隣接した当該吐出ポイントにおけるバースト波の波数を基準値より少なくすることができる。
【００５１】
言い換えれば、主走査方向手前側の吐出ポイントにおけるインク滴の吐出状態に応じて当該吐出ポイントに与えるバースト波の波数を変えることにより、各吐出ポイントにおけるインク滴の吐出状態を安定させることができる。また、直前の吐出状態に応じて波数を制御することにより、インク滴の吐出に最低限必要な波数のバースト波を与えることができ、消費電力を低く抑えることができる。従って、本発明では、主走査方向手前側の少なくとも１つの吐出ポイントにおけるインク滴の吐出状態に応じて当該吐出ポイントに与えるバースト波の波数を変えるようにした。
【００５２】
図１１には、当該吐出ポイントから吐出されるインク滴による画素を注目画素とした場合、走査方向手前２つの吐出ポイントにおけるインク滴の吐出状態に応じて当該吐出ポイントにおけるバースト波の波数を変えた波形例を示してある。尚、比較のため、走査方向手前側の印字状態に拘わらずバースト波の波数を一定にした従来の波形を示した。
【００５３】
波形例Ａのように、走査方向手前側２つの吐出ポイントの状態が非印字状態である場合、当該吐出ポイントにおけるバースト波の波数は十分に多く設定される。また、波形例Ｂのように、走査方向手前側２つの吐出ポイントの状態が印字状態である場合、当該吐出ポイントにおけるバースト波の波数は通常より少なく設定される。
【００５４】
以上のように、走査方向直前の状態に応じてバースト波の波数を変えることにより、消費電力を低く抑えることができ、各吐出ポイントからインク滴を安定して吐出させることができ、良質な画像を形成できる。
【００５５】
また、波形例Ｃおよび波形例Ｄのように、注目画素のバースト波の終端を所定のタイミングで揃えることにより、上記のようにバースト波の波数を変えた場合であってもインク滴の吐出タイミングを一定に揃えることができる。
【００５６】
尚、この発明は、上述した実施の形態に限定されるものではなく、この発明の範囲内で種々変形可能である。例えば、上述した実施の形態では、画像信号に応じてバースト波の波数を変えることによってインク滴の吐出を安定させるようにしたが、波数を変える代りにバースト波の周波数や振幅を変えても良く、バースト波のエネルギーを制御できれば良い。
【００５７】
【発明の効果】
以上説明したように、この発明の記録ヘッドは、上記のような構成および作用を有しているので、インク滴を安定して吐出でき、良質な画像を形成できる。
【図面の簡単な説明】
【図１】この発明の実施の形態に係る記録ヘッドを示す（ａ）部分平面図、（ｂ）断面図。
【図２】記録ヘッドの基材上に設けられた引き出し電極を示す図。
【図３】記録ヘッドの信号処理部から出力されるバースト波の波形例を示す図。
【図４】記録ヘッドの駆動原理を説明するための動作説明図。
【図５】記録ヘッドのスリット近傍におけるインクの挙動を経時的に示す副走査方向断面図。
【図６】記録ヘッドのスリット近傍におけるインクの挙動を経時的に示す主走査方向断面図。
【図７】従来の制御によるインク滴の吐出状態を説明するための図。
【図８】本発明の制御によるバースト波の波形例を示す図。
【図９】図８のバースト波を与えたときのインクの挙動を説明するための図。
【図１０】走査方向手前の状態に応じた当該吐出ポイントにおける液面の状態を示す図。
【図１１】本発明の制御によるバースト波の波形例を従来の波形と比較して示す図。
【符号の説明】
１…記録ヘッド、
２…基材、
３…個別電極、
４…圧電素子、
５…共通電極、
６…圧電体、
７…引き出し電極、
８…ボンディングワイヤ、
９…駆動ＩＣ、
１０…信号処理部、
１１…インク室部材、
１３…レンズ部材、
１３ａ…レンズ溝、
１４…スリット部材、
１５…スリット、
１５ａ…縁、
１６…インク収容部、
２１、２１’…インクメニスカス、
２２…インク滴、
２３…表面波。
【図１】
0004253053.tif 000002
【図２】
0004253053.tif 000003
【図３】
0004253053.tif 000004
【図４】
0004253053.tif 000005
【図５】
0004253053.tif 000006
【図６】
0004253053.tif 000007
【図７】
0004253053.tif 000008
【図８】
0004253053.tif 000009
【図９】
0004253053.tif 000010
【図１０】
0004253053.tif 000011
【図１１】
0004253053.tif 000012